(57)【要約】本発明は、速い崩壊速度及び良好な安定性を有する発泡性錠剤型の洗剤組成物に関する。また、本発明は、前記組成物の製造方法、硬質表面及び衣類の洗浄のための洗浄組成物の水溶液を製造するための前記組成物の使用に関する。洗剤組成物は、とても汎用であり、特定の成分を組み込むことにより、種々の素材を洗浄するための水溶液を製造することができる。【選択図】なし【特許請求の範囲】
【請求項１】
発泡性錠剤型の洗剤組成物であって、
ａ）ナトリウム塩、カリウム塩、アンモニウム塩、モノエタノールアンモニウム塩、ジエタノールアンモニウム塩、又はトリエタノールアンモニウム塩の形態の直鎖又は分枝鎖Ｃ８−１８アルキル鎖を有するアルキル硫酸塩型アニオン性界面活性剤、
ｂ）水溶性有機酸と、アルカリ炭酸塩、アルカリ重炭酸塩、及びそれらの混合物からなる群から選択される無機塩とにより形成される発泡系、
ｃ）デンプン、アルファ化デンプン、デンプングリコール酸ナトリウム、及びカルボキシメチルセルロースナトリウムからなる群から選択される少なくとも２つの崩壊剤の組み合わせを含む崩壊剤、及び
ｄ）尿素
を含む、組成物。
【請求項２】
前記アニオン性界面活性剤が、直鎖Ｃ１２−１４アルキル鎖又は直鎖Ｃ１２アルキル鎖を有するアルキル硫酸塩のナトリウム塩であることを特徴とする、請求項１に記載の組成物。
【請求項３】
前記アニオン性界面活性剤の含有量が、成分ａ）〜ｄ）の全重量に対して２〜２０重量％であることを特徴とする、請求項１又は２に記載の組成物。
【請求項４】
前記水溶性有機酸が、無水クエン酸であることを特徴とする、請求項１〜３のいずれか一項に記載の組成物。
【請求項５】
前記水溶性有機酸の含有量が、成分ａ）〜ｄ）の全重量に対して１０〜４５重量％であることを特徴とする、請求項１〜４のいずれか一項に記載の組成物。
【請求項６】
前記発泡系が、炭酸ナトリウムと重炭酸ナトリウムとの混合物を含むことを特徴とする、請求項１〜５のいずれか一項に記載の組成物。
【請求項７】
前記重炭酸ナトリウム：前記炭酸ナトリウムの重量比が、２０：１〜１：２０であることを特徴とする、請求項６に記載の組成物。
【請求項８】
前記無機塩の含有量が、成分ａ）〜ｄ）の全重量に対して１５〜４５重量％であることを特徴とする、請求項１〜７のいずれか一項に記載の組成物。
【請求項９】
前記発泡系が、無水クエン酸と、炭酸ナトリウムと重炭酸ナトリウムとの混合物とを含むことを特徴とする、請求項１〜８のいずれか一項に記載の組成物。
【請求項１０】
前記崩壊剤が、デンプンとカルボキシメチルセルロースナトリウムとの組み合わせであることを特徴とする、請求項１〜９のいずれか一項に記載の組成物。
【請求項１１】
前記崩壊剤の含有量が、成分ａ）〜ｄ）の全重量に対して５〜２５重量％であることを特徴とする、請求項１〜１０のいずれか一項に記載の組成物。
【請求項１２】
前記デンプン：前記カルボキシメチルセルロースナトリウムの重量比が、１０：１〜１：１０であることを特徴とする、請求項１０に記載の組成物。
【請求項１３】
前記尿素の含有量が、成分ａ）〜ｄ）の全重量に対して５〜２５重量％であることを特徴とする、請求項１〜１２のいずれか一項に記載の組成物。
【請求項１４】
直鎖Ｃ１２−１４アルキル鎖又は直鎖Ｃ１２アルキル鎖を有するアルキル硫酸塩のナトリウム塩を含み、前記発泡系は、無水クエン酸と、炭酸ナトリウムと重炭酸ナトリウムとの混合物とから形成され、前記崩壊剤は、デンプンとカルボキシメチルセルロースナトリウムとの組み合わせであり、尿素を含むことを特徴とする、請求項１に記載の組成物。
【請求項１５】
前記アニオン性界面活性剤の含有量が、成分ａ）〜ｄ）の全重量に対して４〜１０重量％であり、前記水溶性有機酸の含有量が、成分ａ）〜ｄ）の全重量に対して１５〜３５重量％であり、前記無機塩の含有量が、成分ａ）〜ｄ）の全重量に対して２５〜３５重量％であり、前記重炭酸ナトリウム：前記炭酸ナトリウムの重量比が、３：１〜１：３であり、前記崩壊剤の含有量が、成分ａ）〜ｄ）の全重量に対して１０〜１５重量％であり、前記デンプン：前記カルボキシメチルセルロースナトリウムの重量比が、３：１〜１：１であり、前記尿素の含有量が、成分ａ）〜ｄ）の全重量に対して１０〜１２重量％であることを特徴とする、請求項１４に記載の組成物。
【請求項１６】
界面活性剤、ビルダー、アルカリ剤、漂白剤、漂白活性化剤、有機ポリマー、再付着防止剤、スケール除去剤、泡調整剤、色移り防止剤、増粘剤、酵素、香料、及びそれらの混合物からなる群から選択される少なくとも１つの追加成分を含むことを特徴とする、請求項１〜１５のいずれか一項に記載の組成物。
【請求項１７】
請求項１〜１６のいずれか一項に記載の発泡性錠剤型の洗剤組成物の製造方法であって、
１）水溶性有機酸と、アルカリ炭酸塩、アルカリ重炭酸塩、及びそれらの混合物からなる群から選択される無機塩とにより形成される発泡系の成分を混合する工程、
２）ナトリウム塩、カリウム塩、アンモニウム塩、モノエタノールアンモニウム塩、ジエタノールアンモニウム塩、又はトリエタノールアンモニウム塩の形態の直鎖又は分枝鎖Ｃ８−１８アルキル鎖を有するアルキル硫酸塩型アニオン性界面活性剤と尿素とを混合する工程、
３）工程２）で得られた混合物を工程１）で得られた混合物に加える工程、
４）デンプン、アルファ化デンプン、デンプングリコール酸ナトリウム、及びカルボキシメチルセルロースナトリウムからなる群から選択される少なくとも２つの崩壊剤の組み合わせを含む崩壊剤系の成分を混合する工程、
５）工程４）で得られた混合物を工程２）で得られた混合物に加える工程、及び
６）工程５）で得られた粉末混合物を圧縮する工程、
を含むことを特徴とする、方法。
【請求項１８】
追加成分を工程５）で得られた混合物に加えることを特徴とする、請求項１７に記載の方法。
【請求項１９】
非晶質沈降シリカとデンプンとの組み合わせを賦形剤として用いて、液体の追加成分を、予め工程５）で得られた固体の混合物に組み込むことを特徴とする、請求項１８に記載の方法。
【請求項２０】
水性洗剤溶液を製造するための、請求項１〜１６のいずれか一項に記載の発泡性錠剤型の洗剤組成物の使用。
【請求項２１】
ガラス製品の洗浄、水の硬度の低下、手動及び自動での食器洗浄、食器への光沢の自動付与、硬質表面からのグリースの除去、硬質表面の洗浄、硬質表面の殺菌、衣類の洗浄及び柔軟化、及びスケール落としのための水性洗剤溶液を製造するための、請求項２０に記載のの使用。
【発明の詳細な説明】
【技術分野】
【０００１】
本発明は、家庭部門及び産業部門の両方において、硬質表面及び衣類の洗浄での使用に適した発泡性錠剤型の洗剤組成物に関する。
【背景技術】
【０００２】
洗剤組成物及び洗浄製品組成物は、固体及び液体製品の形態で市販されている。
【０００３】
家庭部門では、液体製品の消費が増加傾向にある。これには、かなりの量の水の輸送や、リサイクルされなければならない多数のプラスチック容器の使用が関係する。この現象は、衣類洗濯用の粉末洗剤の分野で明確に認められ、液体製品へのシフトとともに、粉末製品の消費の大幅な減少が注目されている。
【０００４】
錠剤型の洗剤組成物は、圧縮され水分を含有しないため、輸送及び貯蔵の点でより経済的であり、液体及び固体組成物に関して利点をもたらす。更に、錠剤型の洗剤組成物では、使用時に、正しい計量が容易になり、粉塵発生の問題が生じない。このような組成物が消費者により良好に受け入れられるためには、錠剤が水と接触して速やかに分解し、それにより洗剤組成物が得られる必要がある。
【０００５】
また、取り扱い、計量、輸送及び保管、並びに活性成分の迅速な溶解が容易であるといった利点を有する発泡性錠剤型の洗剤組成物又は洗浄組成物は、技術水準に記載されている。しかしながら、当該組成物は、上記の利点にもかかわらず、市場に普及していない。この理由の一部は、特定の環境条件を必要とし、成分間に望ましくない相互作用が存在する可能性があることを考慮に入れなければならない、比較的複雑な製造方法に因る可能性がある。また、崩壊の容易さと錠剤の機械的強度との間で妥協点を見出す必要があり、これらは、矛盾するが同時に満たされなければならない２つの特徴である。その製剤及び安定性もまた、これらの系は製造中及び貯蔵中の両方において水分に非常に敏感であることから、課題をもたらす。
【０００６】
この意味では、米国特許第５，１１４，６４７号明細書は、殺菌成分としてクロロイソシアヌレートを含む発泡性錠剤について記載している。良好な崩壊速度を達成するために、殺菌剤が添加された固体のカルボン酸とアルカリ炭酸塩との混合物を圧縮した後、粉砕する工程を含む製造方法が使用される。このような方法を工業規模で実施するのは困難である。
【０００７】
国際特許出願ＷＯ−Ａ−９８／２４８７３には、コアに発泡性及び崩壊性の系を含み、その安定性を増すためにコーティング剤でコーティングされた錠剤が記載されている。コーティング剤を組み込む追加工程により、製造方法は所望よりも複雑になる。
【０００８】
国際特許出願ＷＯ−Ａ−９３／０８２５５には、賦形剤として香料及びソルビトールを含む発泡性錠剤が記載されている。
【０００９】
欧州特許出願ＥＰ−Ａ−１１３４２８１には、洗浄プロセスをより良好に制御することができるように、圧縮に敏感な成分が含まれている非圧縮相と圧縮相とを含む洗剤錠剤が記載されている。しかしながら、その製造方法は複雑である。
【００１０】
国際特許出願ＷＯ−Ａ−００／０４１１７及びＷＯ−Ａ−００／０４１２４には、錠剤の破砕剤として作用する発泡系が相の１つに含まれている多相洗剤錠剤が記載されている。また、その好ましい実施形態には、異なる相が異なる圧力で圧縮され、それにより製造方法が複雑になることも記載されている。
【００１１】
国際特許出願ＷＯ−Ａ−０２／３３０３７及びＷＯ−Ａ−００／３３０３８には、崩壊抑制剤と組み合わせて架橋ポリマー崩壊剤を含み、任意選択的に発泡系を含む自動洗濯機用の洗剤錠剤が記載されている。また、その好ましい実施形態には、異なる相が異なる圧力で圧縮され、それにより製造方法が複雑になることも記載されている。
【００１２】
国際特許出願ＷＯ−Ａ−０２／０８６０４８には、殺菌特性を有する化合物と、酸性成分及び塩基性成分で形成された発泡剤とを含む発泡性錠剤が記載されている。しかしながら、これらは、室温未満の温度及び２０％未満の湿度で保存しなければならない。
【００１３】
国際特許出願ＷＯ−Ａ−０２／９９０２６には、酵素とガスを生成する酵素に対する基質とを含む発泡系を用いることを含む、液体中での固体材料の溶解を増強するための方法が記載されている。
【００１４】
国際特許出願ＷＯ−Ａ−０３／０６２３６０には、発泡系、ポリエチレングリコール、及び２つの極性基を有する有機化合物、例えば、製剤の成分の溶解を改善するための１，６−ヘキサンジオール等を含む洗剤錠剤が記載されている。
【００１５】
国際特許出願ＷＯ−Ａ−０３／０８９６５０には、クレー、無機マグネシウム塩、及びスルホン化アニオン性界面活性剤を含む発泡性錠剤が記載されている。
【００１６】
国際特許出願ＷＯ−Ａ−２００５／０６１６８９には、発泡系、クレー、及び溶解度増強剤として酢酸ナトリウムを含む、高濃度の香料を有する洗剤錠剤が記載されている。
【００１７】
国際特許出願ＷＯ−Ａ−２００８／００９８０４には、製品層の間に崩壊剤として微結晶セルロースを含む破壊層を含む多層錠剤が記載されている。また、同出願には、崩壊剤を洗剤成分と同じ層に組み込むと、それが別個の層にある場合よりも崩壊速度が遅くなることが記載されている。崩壊時間は、５０℃で撹拌下において９分から５分に減少するが、どちらの場合も長い時間である。
【００１８】
国際特許出願ＷＯ−Ａ−２０１２／０４５９０７には、２０〜３０重量％のラウリル硫酸ナトリウムと、クエン酸と炭酸ナトリウム又は重炭酸ナトリウムとから形成される発泡性崩壊補助剤とを含む組成物が記載されている。
【００１９】
国際特許出願ＷＯ−Ａ−２０１４／０１３１２０には、１〜２４重量％のエトキシ化アルコールを含む発泡性錠剤が記載されている。同文献には、錠剤の溶解時間に関するデータは記載されていない。
【００２０】
技術水準に記載された技術的解決策があるものの、製造が容易で、室温の水でも速やかに崩壊し、良好な環境湿度耐性を有する発泡性錠剤型の洗剤組成物への要求が依然として存在する。
【発明の概要】
【発明が解決しようとする課題】
【００２１】
本発明の目的は、発泡性錠剤型の洗剤組成物に関する。
【００２２】
本発明の別の目的は、前記錠剤の製造方法に関する。
【００２３】
本発明の別の目的は、水性洗剤溶液の製造のための前記錠剤の使用に関する。
【発明を実施するための形態】
【００２４】
本発明の目的は、発泡性錠剤型の洗剤組成物であって、
ａ）ナトリウム塩、カリウム塩、アンモニウム塩、モノエタノールアンモニウム塩、ジエタノールアンモニウム塩、又はトリエタノールアンモニウム塩の形態の直鎖又は分枝鎖Ｃ８−１８アルキル鎖を有するアルキル硫酸塩型アニオン性界面活性剤、
ｂ）水溶性有機酸と、アルカリ炭酸塩、アルカリ重炭酸塩、及びそれらの混合物からなる群から選択される無機塩とにより形成される発泡系、
ｃ）デンプン、アルファ化デンプン、デンプングリコール酸ナトリウム、及びカルボキシメチルセルロースナトリウムからなる群から選択される少なくとも２つの崩壊剤の組み合わせを含む崩壊剤系、及び
ｄ）尿素
を含む、組成物に関する。
【００２５】
本発明者らは、驚くべきことに水と接触してほぼ瞬時に崩壊し、湿度に対する保護の非存在下でも良好な構造強度及び安定性を有する発泡性錠剤型の洗剤組成物を開発した。
【００２６】
本発明の錠剤は、全ての活性成分が水相中に均一に溶解されるように、速い崩壊速度及び可溶化速度を有することに加えて、錠剤が溶解している容器内に残留物を残さない。
【００２７】
本発明の文脈において、用語「錠剤」は、「ペレット」と同義であり、両用語はセクターにおいて交換可能に使用される。
【００２８】
本明細書及び特許請求の範囲において、単数形「ａ」、「ａｎ」、及び「ｔｈｅ」は、文脈により明確に別段の指示がない限り、複数の言及を含む。
【００２９】
アニオン性界面活性剤
ナトリウム塩、カリウム塩、アンモニウム塩、モノエタノールアンモニウム塩、ジエタノールアンモニウム塩、又はトリエタノールアンモニウム塩の形態の直鎖又は分枝鎖Ｃ８−１８アルキル鎖を有するアルキル硫酸塩型アニオン性界面活性剤は、本発明の組成物に使用される。
【００３０】
アニオン性界面活性剤は、直鎖Ｃ１２−１４アルキル鎖又は分岐鎖Ｃ１１−１５アルキル鎖を有するアルキル硫酸塩が好ましく、より好ましくは、直鎖Ｃ１２−１４アルキル鎖又は直鎖Ｃ１２アルキル鎖を有するアルキル硫酸塩であり、更に好ましくは、直鎖Ｃ１２−１４アルキル鎖又は直鎖Ｃ１２アルキル鎖を有するアルキル硫酸ナトリウム塩である。
【００３１】
アルキル硫酸塩型界面活性剤は、例えば、Ｔｅｘａｐｏｎ（登録商標）（ＢＡＳＦ）又はＥｍｐｉｃｏｌ（登録商標）（Ｈｕｎｔｓｍａｎ）の商標名で市場で見ることができる。
【００３２】
本発明の組成物において、アニオン性界面活性剤の含有量は、通常、成分ａ）〜ｄ）の全重量に対して２〜２０重量％であり、好ましくは３〜１５重量％であり、より好ましくは４〜１０重量％である。
【００３３】
発泡系
本発明の組成物は、水溶液との接触時に錠剤を崩壊させるための発泡系を含む。
【００３４】
前記発泡系は、水溶性有機酸と、アルカリ炭酸塩、アルカリ重炭酸塩、及びそれらの混合物からなる群から選択される無機塩とにより形成される。
【００３５】
水溶性有機酸は、好ましくは、クエン酸、リンゴ酸、酒石酸、マロン酸、マレイン酸、コハク酸、及びそれらの混合物から選択され、より好ましくは、クエン酸、酒石酸、及びそれらの混合物から選択され、より好ましくは、クエン酸である。これらの酸は、無水物形態、水和物形態、又は酒石酸水素カリウム等のそれらの部分塩の形態で用いることができる。より好ましい実施形態において、水溶性有機酸は、無水クエン酸である。
【００３６】
水溶性有機酸の含有量は、通常、成分ａ）〜ｄ）の全重量に対して１０〜４５重量％であり、好ましくは１２〜４０重量％であり、より好ましくは１５〜３５重量％である。
【００３７】
発泡系の一部である無機塩は、アルカリ炭酸塩、アルカリ重炭酸塩、及びそれらの混合物からなる群から選択される。
【００３８】
アルカリカチオンは、好ましくはリチウム、ナトリウム、及びカリウムから選択され、より好ましくはナトリウム及びカリウムから選択され、更に好ましくはナトリウムである。より好ましくは、炭酸ナトリウムと重炭酸ナトリウムとの混合物が使用される。
【００３９】
無機塩の含有量は、成分ａ）〜ｄ）の全重量に対して、通常１５〜４５重量％であり、好ましくは２０〜４０重量％であり、より好ましくは２５〜３５重量％である。
【００４０】
炭酸塩と重炭酸塩との混合物を用いた場合、重炭酸ナトリウム：炭酸ナトリウムの重量比は、２０：１〜１：２０であり、好ましくは１８：１〜１：１０であり、より好ましくは６：１〜１：５であり、更に好ましくは３：１〜１：３である。異なる塩を使用する場合、かかる塩の間の重量比は容易に計算することができる。
【００４１】
特に好ましい実施形態において、発泡系は、無水クエン酸と、炭酸ナトリウムと重炭酸ナトリウムとの混合物とから形成される。
【００４２】
特に好ましい実施形態において、本発明の組成物は、直鎖Ｃ１２−１４アルキル鎖又は直鎖Ｃ１２アルキル鎖を有するアルキル硫酸塩のナトリウム塩を含み、発泡系は、無水クエン酸と、炭酸ナトリウムと重炭酸ナトリウムとの混合物とから形成される。より好ましくは、アニオン性界面活性剤の含有量は、成分ａ）〜ｄ）の全重量に対して４〜１０重量％であり、水溶性有機酸の含有量は、成分ａ）〜ｄ）の全重量に対して１５〜３５重量％であり、無機塩の含有量は、成分ａ）〜ｄ）の全重量に対して２５〜３５重量％であり、重炭酸ナトリウム：炭酸ナトリウムの重量比は、３：１〜１：３である。
【００４３】
崩壊剤系
本発明の組成物は、デンプン、アルファ化デンプン、デンプングリコール酸ナトリウム、及びカルボキシメチルセルロースナトリウムからなる群から選択される少なくとも２つの崩壊剤の組み合わせを含む崩壊剤系を含み、好ましくは、デンプン、アルファ化デンプン、及びカルボキシメチルセルロースナトリウムからなる群から選択され、より好ましくは、デンプンとカルボキシメチルセルロースナトリウムとの組み合わせである。
【００４４】
崩壊剤の含有量は、成分ａ）〜ｄ）の全重量に対して、通常５〜２５重量％であり、好ましくは８〜２０重量％であり、より好ましくは１０〜１５重量％である。
【００４５】
デンプンとカルボキシメチルセルロースナトリウムとの組み合わせを用いる場合、好ましくは、デンプン：カルボキシメチルセルロースナトリウムの重量比が１０：１〜１：１０であるものが用いられ、より好ましくは５：１〜１：５であり、更に好ましくは３：１〜１：１である。特に好ましいデンプン：カルボキシメチルセルロースナトリウムの重量比は、１．７：１である。
【００４６】
特に好ましい実施形態において、本発明の組成物は、直鎖Ｃ１２−１４アルキル鎖又は直鎖Ｃ１２アルキル鎖を有するアルキル硫酸塩のナトリウム塩を含み、発泡系は、無水クエン酸と、炭酸ナトリウムと重炭酸ナトリウムとの混合物とから形成され、崩壊剤は、デンプンとカルボキシメチルセルロースナトリウムとの組み合わせである。より好ましくは、アニオン性界面活性剤の含有量は、成分ａ）〜ｄ）の全重量に対して４〜１０重量％であり、水溶性有機酸の含有量は、成分ａ）〜ｄ）の全重量に対して１５〜３５重量％であり、無機塩の含有量は、成分ａ）〜ｄ）の全重量に対して２５〜３５重量％であり、重炭酸ナトリウム：炭酸ナトリウムの重量比は、３：１〜１：３であり、崩壊剤の含有量は、成分ａ）〜ｄ）の全重量に対して１０〜１５重量％であり、デンプン：カルボキシメチルセルロースナトリウムの重量比は、３：１〜１：１である。
【００４７】
尿素
本発明の組成物は、尿素を含む。尿素の含有量は、通常、成分ａ）〜ｄ）の全重量に対して、５〜２５重量％であり、好ましくは８〜２０重量％であり、より好ましくは１０〜１２重量％である。
【００４８】
尿素と崩壊剤系（好ましくはデンプンとカルボキシメチルセルロースナトリウムとの組み合わせ）との組み合わせにより、活性成分の崩壊及び可溶化速度が速い錠剤を得ることができる。
【００４９】
特に好ましい実施形態において、本発明の組成物は、直鎖Ｃ１２−１４アルキル鎖又は直鎖Ｃ１２アルキル鎖を有するアルキル硫酸塩のナトリウム塩を含み、発泡系は、無水クエン酸と、炭酸ナトリウムと重炭酸ナトリウムとの混合物とから形成され、崩壊剤は、デンプンとカルボキシメチルセルロースナトリウムとの組み合わせであり、尿素を含む。より好ましくは、アニオン性界面活性剤の含有量は、成分ａ）〜ｄ）の全重量に対して４〜１０重量％であり、水溶性有機酸の含有量は、成分ａ）〜ｄ）の全重量に対して１５〜３５重量％であり、無機塩の含有量は、成分ａ）〜ｄ）の全重量に対して２５〜３５重量％であり、重炭酸ナトリウム：炭酸ナトリウムの重量比は、３：１〜１：３であり、崩壊剤の含有量は、成分ａ）〜ｄ）の全重量に対して１０〜１５重量％であり、デンプン：カルボキシメチルセルロースナトリウムの重量比は、３：１〜１：１であり、尿素の含有量は、成分ａ）〜ｄ）の全重量に対して１０〜１２重量％である。
【００５０】
他の成分
発泡性錠剤型の洗剤組成物は、前記基本組成物に他の成分の組み込むことにより、例えば、ガラス製品の洗浄、水の硬度の低下、手動及び自動での食器洗浄、食器への光沢の自動付与、硬質表面（例えば、換気フード、キッチン、ガラスセラミッククックトップ、誘導クックトップ）からのグリースの除去、硬質表面（例えば、セラミック床、タイル床、寄せ木床、合成木材調理台、天然石調理台、合成石調理台、壁）の洗浄、硬質表面（例えば床、トイレ、浴槽、流し台）の殺菌、衣類の洗浄及び柔軟化、又はスケール落としに好適な組成物を得ることができる汎用組成物である。
【００５１】
本発明の組成物に添加することができる追加成分は、組成物の用途に適した成分から選択される。追加成分の含有量は、全成分の合計が組成物の１００％となるように、組成物の全重量に対して通常１〜５０重量％である。
【００５２】
前記追加成分は、単一相で同じ発泡性錠剤の一部であってもよく、２つ以上の相に分散していてもよい。崩壊剤系は、好ましくは、他の洗剤成分を更に含む層に含まれる。
【００５３】
好ましい実施形態において、本発明の組成物は、界面活性剤、ビルダー、アルカリ剤、漂白剤、漂白活性化剤、有機ポリマー、再付着防止剤、スケール除去剤、泡調整剤、色移り防止剤、増粘剤、酵素、香料、及びそれらの混合物からなる群から選択される少なくとも１つの追加成分を含む。
【００５４】
界面活性剤
本発明の洗剤組成物に使用することができる界面活性剤は、例えば、アニオン性界面活性剤（例えば、カルボン酸石鹸、アルキルスルホネート、アルキルアリールスルホネート、直鎖アルキルベンゼンスルホネート、スルホサクシネート、スルホン化脂肪酸エステル、脂肪酸イセチオネート、アルキルエーテルサルフェート、アルキルサルフェート、アルキルホスフェート、アルキルエーテルホスフェート、アシルグルタメート、アシル化ペプチド、アシルサルコシネート）、非イオン性界面活性剤（例えば、エトキシル化脂肪族アルコール、エチレンオキシド−プロピレンオキシド共重合体、エトキシル化及びプロポキシル化脂肪酸、エトキシル化及びプロポキシル化末端キャップ脂肪酸、アルキルポリグルコシド、エトキシル化トリグリセリド、脂肪酸アルカノールアミド、エトキシル化脂肪酸アルカノールアミド、エトキシル化脂肪酸エステル、ポリエチレングリコール脂肪エステル、グリセリン脂肪エステル、エトキシル化グリセリン脂肪エステル、ソルビタン脂肪エステル、エトキシル化ソルビタン脂肪エステル、炭水化物アルキルエステル、アルキルアミンオキシド、アルキルジメチルアミンオキシド、アミドアミノプロピルアミンオキシド、エトキシル化アルキルアミン、エトキシル化プロポキシル化アルキルアミン、エトキシル化アルキルプロパノジアミン、エトキシル化及びプロポキシル化エチレンジアミン）、カチオン性界面活性剤（例えば、テトラアルキルアンモニウム塩、テトラアリールアンモニウム塩、アルキルトリメチルアンモニウム塩、ジアルキルジメチルアンモニウム塩、複素環アンモニウム塩、四級化トリエタノールアミン脂肪エステル、四級化メチルジエタノールアミン脂肪エステル）、両性界面活性剤（例えば、アルキルベタイン、アルキルアミドプロピルベタイン、イミダゾリン、アルキルアミドプロピルヒドロキシスルタイン、アシルアンフォモノアセテート、アシルアンフォジアセテート、アシルアンフォジプロピオネート、アルキルアミノプロピオン酸、アルキルグリシネート、アミノプロピルアルキルグルタミド、アルキルイミノジプロピオネート）、及びそれらの混合物から選択することができる。
【００５５】
当業者は、界面活性剤について出版された無数の文献、例えば、Ｍ．Ａｓｈ、Ｉ．Ａｓｈによる工業界面活性剤ハンドブック（Ｈａｎｄｂｏｏｋ  ｏｆ  Ｉｎｄｕｓｔｒｉａｌ  Ｓｕｒｆａｃｔａｎｔｓ，Ｓｙｎａｐｓｅ  Ｉｎｆｏｒｍａｔｉｏｎ  Ｒｅｓｏｕｒｃｅｓ，  Ｉｎｃ．，５ｔｈ  Ｅｄｉｔｉｏｎ，２０１０（ＩＳＢＮ−１０：１９３４７６４４１８））等において、これらの界面活性剤及びそれらの商業的供給源に関する情報を見つけることができる。
【００５６】
上記の界面活性剤は、通常、洗剤組成物及び／又は洗浄製品の一部であるため、例えば、ＢＡＳＦ、ハンツマン（Ｈｕｎｔｓｍａｎ）、ステパン（Ｓｔｅｐａｎ）、アトケム（Ａｔｏｃｈｅｍ）、又は花王により、市販されている。
【００５７】
ビルダー
本発明の洗剤組成物に使用することができるビルダーは、例えば、トリポリリン酸ナトリウム、ピロリン酸四ナトリウム、ゼオライト、非晶質シリケート、結晶性シリケート、ホスホネート（例えば、エタン−１−ヒドロキシジホスホネート（ＨＥＤＰ）、アミノトリス（メチレンホスホン酸）アミノ酸（ＡＴＭＰ）、エチレンジアミンテトラメチレンホスホン酸（ＥＤＴＭＰ）、ジエチレントリアミンペンタメチレンホスホネート（ＤＴＰＭＰ）、ニトリロトリメチレンホスホネート（ＮＴＰ）、高分子ホスホネート）、エチレンジアミン四酢酸（ＥＤＴＡ）、ヒドロキシエチルエチレンジアミン三酢酸（ＨＥＤＴＡ）、ニトリロ三酢酸（ＮＴＡ）、ジエチレントリアミン五酢酸（ＤＴＰＡ）、グルタミン酸−Ｎ，Ｎ−二酢酸、グルコネート、ジヒドロキシエチルグリシン、メチルグリシン二酢酸、コハク酸塩、酒石酸塩、クエン酸塩、エチレンジアミンコハク酸、及びそれらの混合物から選択することができる。
【００５８】
上記のビルダーは、通常、洗剤及び／又は洗浄製品組成物の一部であるため、市販されている。
【００５９】
アルカリ剤
本発明の洗剤組成物に使用することができるアルカリ剤は、例えば、アルカリ炭酸塩、アルカリ重炭酸塩、水酸化ナトリウム、水酸化カリウム、トリエタノールアミン、及びそれらの混合物から選択することができる。
【００６０】
上記のアルカリ剤は、通常、洗剤及び／又は洗浄製品組成物の一部であるため、市販されている。
【００６１】
漂白剤及び漂白活性化剤
本発明の洗剤組成物に使用することができる漂白剤は、例えば、過炭酸ナトリウム、過ホウ酸ナトリウム一水和物、過ホウ酸ナトリウム四水和物、次亜塩素酸カルシウム、ジクロロイソシアヌレート、及びクロラミンから選択することができる。例えば、テトラアセチルエチレンジアミン（ＴＡＥＤ）、ノナノイルオキシベンゼンスルホン酸ナトリウム（ＮＯＢＳ）、３，５，５−トリメチルヘキサノイルベンゼンスルホン酸ナトリウム又はイソノナノイルオキシベンゼンスルホン酸ナトリウム（ＮＯＢＳ）、テトラアセチルグリコルリル（ＴＡＧＵ）、ペンタアセチルグルコース（ＰＡＧ）、ジアセチルジオキソヘキサハイドロトリアジン（ＤＡＤＨＴ）、イサト酸無水物（ＩＳＡ）は、漂白活性化剤として使用することができる。
【００６２】
上記の漂白剤は、通常、洗剤及び／又は洗浄製品組成物の一部であるため、例えば、ペルオキシケム（Ｐｅｒｏｘｙｃｈｅｍ）により市販されている。
【００６３】
上記の漂白活性化剤は、通常、洗剤及び／又は洗浄製品組成物の一部であるため、例えば、クラリアントにより市販されている。
【００６４】
有機ポリマー
本発明の洗剤組成物に使用することができる有機ポリマーは、例えば、アクリルポリマー、アクリル−マレインポリマー、アクリル−マレイン−ビニルポリマー、ポリアミドカルボン酸、ポリビニルピロリドン、架橋ポリビニルピロリドン、及びそれらの混合物から選択することができる。
【００６５】
上記の有機ポリマーは、通常、洗剤及び／又は洗浄製品組成物の一部であるため、例えば、ＢＡＳＦにより市販されている。
【００６６】
再付着防止剤
本発明の洗剤組成物に使用することができる再付着防止剤は、例えば、カルボキシメチルセルロースナトリウム、メチルセルロース、ヒドロキシプロピルセルロース、ポリエチレングリコール、ポリビニルアルコール、エチレングリコール及び／又はプロピレングリコールの芳香族及び脂肪族ジカルボン酸ポリエステル、及びそれらの混合物から選択することができる。
【００６７】
上記の再付着防止剤は、通常、洗剤及び／又は洗浄製品組成物の一部であるため、例えば、ＪＲＳにより市販されている。
【００６８】
スケール除去剤
本発明の洗剤組成物に使用することができるスケール除去剤は、例えば、シュウ酸、スルファミン酸、重硫酸ナトリウム、重亜硫酸ナトリウム、オルトリン酸モノナトリウム、及びそれらの混合物から選択することができる。
【００６９】
泡調整剤
本発明の洗剤組成物に使用することができる泡調整剤は、例えば、石鹸、パラフィン、ポリジメチルシロキサン、及びそれらの混合物から選択することができる。
【００７０】
上記の泡調整剤は、通常、洗剤及び／又は洗浄製品組成物の一部であるため、例えば、ダウコーニング（Ｄｏｗ  Ｃｏｒｎｉｎｇ）又はロディア（Ｒｈｏｄｉａ）により市販されている。
【００７１】
色移り防止剤
本発明の洗剤組成物に使用することができる色移り防止剤は、例えば、ビニルピロリドン、ビニルイミダゾール、ビニルオキサゾリドン、４−ビニルピリジン−Ｎ−オキシドのホモポリマー及びコポリマー、並びにそれらの混合物から選択することができる。
【００７２】
上記の色移り防止剤は、通常、洗剤及び／又は洗浄製品組成物の一部であるため、例えば、ＢＡＳＦにより市販されている。
【００７３】
増粘剤
本発明の洗剤組成物に使用することができる増粘剤は、例えば、グアーガム、エチルセルロース、キサンタンガム、カルボマー、カラギーナン、キトサン、ヒドロキシエチルセルロース、微結晶性セルロース、高分子量の固体ポリエチレングリコール、アルギン酸、アルギン酸ナトリウム、カルボキシメチルセルロースカルシウム、ケイ酸アルミニウムマグネシウム、コロイド状二酸化ケイ素、及びそれらの混合物から選択することができる。
【００７４】
上記の増粘剤は、通常、洗剤及び／又は洗浄製品組成物の一部であるため、例えば、アシュランド（Ａｓｈｌａｎｄ）又はエボニック（Ｅｖｏｎｉｋ）により市販されている。
【００７５】
酵素
本発明の洗剤組成物に使用することができる酵素は、プロテアーゼ、アミラーゼ、リパーゼ、セルラーゼ、及びそれらの混合物から選択することができる。
【００７６】
上記の酵素は、通常、洗剤及び／又は洗浄製品組成物の一部であるため、例えば、ノボ  ノルディスク（Ｎｏｖｏ  Ｎｏｒｄｉｓｋ）又はジェネンコア（Ｇｅｎｅｎｃｏｒ）により市販されている。
【００７７】
香料
上記のとおり、香料もまた、本発明の組成物に含むことができる。
【００７８】
方法
本発明の組成物は、例えば、直接圧縮等の錠剤を製造するための当業者に周知の以下の方法により製造することができる。
【００７９】
粉末形態の成分をミキサー内で穏やかに混合し、打錠機において圧縮力を加えることにより圧縮する。そのため、種々の成分の粉末組成物を、例えば、錠剤用の回転又は偏心プレスのハウジング内に導入し、組成物を０．５〜２５ｋＮ／ｃｍ２、好ましくは１〜１０ｋＮ／ｃｍ２、より好ましくは１〜８ｋＮ／ｃｍ２の圧力で圧縮する。錠剤が２つ以上の層を含む場合は、上記の方法に従って各層を得て、１つの層を他の層の上に順次圧縮する。
【００８０】
本発明の目的は、発泡性錠剤型の洗剤組成物の製造方法であって、
１）水溶性有機酸と、アルカリ炭酸塩、アルカリ重炭酸塩、及びそれらの混合物からなる群から選択される無機塩とにより形成される発泡系の成分を混合する工程、
２）ナトリウム塩、カリウム塩、アンモニウム塩、モノエタノールアンモニウム塩、ジエタノールアンモニウム塩、又はトリエタノールアンモニウム塩の形態の直鎖又は分枝鎖Ｃ８−１８アルキル鎖を有するアルキル硫酸塩型アニオン性界面活性剤と尿素とを混合する工程、
３）工程２）で得られた混合物を工程１）で得られた混合物に加える工程、
４）デンプン、アルファ化デンプン、デンプングリコール酸ナトリウム、非結晶セルロース、微結晶性セルロース、カルボキシメチルセルロースナトリウム、クロスカルメロースナトリウム、ポリビニルピロリドン、及びクロスポビドンからなる群から選択される少なくとも２つの崩壊剤の組み合わせを含む崩壊剤系の成分を混合する工程、
５）工程４）で得られた混合物を工程２）で得られた混合物に加える工程、及び
６）工程５）で得られた粉末混合物を圧縮する工程、
を含む、方法に関する。
【００８１】
組成物が追加成分を含む場合、それらの成分は工程５）で得られた混合物に加えられる。
【００８２】
本発明の方法において、好ましくは、アニオン性界面活性剤は、直鎖Ｃ１２−１４アルキル鎖又は直鎖Ｃ１２アルキル鎖を有するアルキル硫酸塩のナトリウム塩であり、発泡系は、無水クエン酸と、炭酸ナトリウムと重炭酸ナトリウムとの混合物とから形成され、崩壊剤は、デンプンとカルボキシメチルセルロースナトリウムとの組み合わせである。より好ましくは、アニオン性界面活性剤の含有量は、上記のとおり、成分ａ）〜ｄ）の全重量に対して４〜１０重量％であり、水溶性有機酸の含有量は、上記のとおり、成分ａ）〜ｄ）の全重量に対して１５〜３５重量％であり、無機塩の含有量は、上記のとおり、成分ａ）〜ｄ）の全重量に対して２５〜３５重量％であり、重炭酸ナトリウム：炭酸ナトリウムの重量比は、３：１〜１：３であり、崩壊剤の含有量は、上記のとおり、成分ａ）〜ｄ）の全重量に対して１０〜１５重量％であり、デンプン：カルボキシメチルセルロースナトリウムの重量比は、３：１〜１：１であり、尿素の含有量は、上記のとおり、成分ａ）〜ｄ）の全重量に対して１０〜１２重量％である。
【００８３】
組成物が、例えば、香料又は非イオン性液体界面活性剤等の液体成分を含む場合、当該成分は、固体成分混合物に噴霧することによって組み込むことができる。それは、好ましくは、予め得られた混合物に対して固体形態で組み込む。そのため、液体成分は、固体成分の残りからなる混合物へ組み込むのに良好な流動性を有する粉末状生成物を得るために、非晶質沈降シリカとデンプンとの組合せと、１０：１〜１：１０の重量比で、好ましくは１：１〜１：１０の重量比で、より好ましくは１：１〜１：５の重量比で、更に好ましくは１：１〜１：３の重量比で混合することができる。シリカとデンプンとの混合物に対する液体成分の含有量は、通常２５〜７５重量％であり、好ましくは３０〜６０重量％であり、より好ましくは４５〜５５重量％であり、更に好ましくは５０重量％である。このより好ましい実施形態において、液体の一部は、非晶質沈降シリカとデンプンとの混合物の一部に対して用いられる。
【００８４】
より好ましい実施形態において、液体成分を含む固体組成物が得られると、固体成分の残りからなる混合物に組み込む前に、当該組成物を１〜３０日間、好ましくは５〜３０日間、より好ましくは１０〜２０日間、室温で維持する。
【００８５】
本発明の方法に従って得られる錠剤は、フラグメント化及び摩耗に対して耐性がある。
【００８６】
本発明の方法により得られる錠剤は、通常５〜２５０ｇ、好ましくは５〜５０ｇ、より好ましくは５〜２５ｇ、更に好ましくは５〜１０ｇの重量を有する。
【００８７】
錠剤が得られたら、例えば、ブリスターパック、フローパック、プラスチック包装、アルミニウム包装等の種々のタイプの入れ物に包装することができる。
【００８８】
通常の条件下では、本発明の錠剤は、包装する必要なく安定しており、有効性を失わない。しかしながら、本発明の錠剤は、使用者に対して好ましい提示を示すために、また、長期間の高湿度の環境条件に起因して起こり得る事象に直面してもその性能を維持するために、包装されるのが好ましい。
【００８９】
錠剤の使用
本発明の別の目的は、水性洗剤溶液を製造するための本発明の錠剤の使用に関する。
【００９０】
上述のとおり、錠剤の基本組成への特定の成分の添加により、例えば、ガラス製品の洗浄、水の硬度の低下、手動及び自動での食器洗浄、食器への光沢の自動付与、硬質表面（例えば、換気フード、キッチン、ガラスセラミッククックトップ、誘導クックトップ）からのグリースの除去、硬質表面（例えば、セラミック床、タイル床、寄せ木床、合成木材調理台、天然石調理台、合成石調理台、壁）の洗浄、硬質表面（例えば床、壁、トイレ、浴槽、流し台）の殺菌、衣類の洗浄及び柔軟化、又はスケール落としに好適な組成物を得ることができる。
【００９１】
特に、本発明の錠剤は、ガラス製品の洗浄、水の硬度の低下、手動及び自動での食器洗浄、食器への光沢の自動付与、硬質表面からのグリースの除去、硬質表面の洗浄、硬質表面の殺菌、衣類の洗浄及び柔軟化、又はスケール落としのための水性洗剤溶液を製造するために使用される。
【００９２】
本発明の錠剤は、驚くべきことに断片化及び摩耗に対して良好な構造強度を有し、室温の水であっても水に接触してほぼ瞬時に崩壊し、湿度に対する保護の非存在下であっても性能を失うことなく良好な安定性を有する。
【００９３】
更に、本発明の錠剤は、市販の製品と同様の洗浄性能を有する。
【００９４】
本発明の錠剤の計量は、除去すべき汚れの種類に依存する。
【００９５】
５〜１０ｇの重量を有する錠剤は、通常０．５〜１０リットルの水量で使用され、好ましくは０．７５〜５リットルの水量で使用される。除去が困難な汚れの場合には、水性洗浄溶液中の活性成分の濃度を増加させるために、追加の錠剤を加えてもよい。
【００９６】
工業用洗浄の場合、上記の割合を考慮して、より大きな錠剤をより多量の水に使用することができる。
【００９７】
本発明を説明するためのいくつかの例をに以下に示すが、それらは本発明を限定するものと見なされるべきではない。
【実施例】
【００９８】
実施例１：ガラス製品の洗浄のための発泡性錠剤
発泡系を構成する１．４ｋｇの無水重炭酸ナトリウム、０．６ｋｇの炭酸ナトリウム、及び２．１５ｋｇのクエン酸を混合した。
【００９９】
０．３５ｋｇのラウリル硫酸ナトリウム及び０．８ｋｇの尿素を混合した。均一な混合物が得られたら、既に製造した発泡系に加え、穏やかに混合した。得られた混合物に、０．２５ｋｇのカルボキシメチルセルロースナトリウム、０．４ｋｇのデンプン、及び０．２ｋｇの香料を加え、混合物の穏やかな混合を続けた。
【０１００】
混合物を、偏心打錠機ＢＥ−３０（Ｊ．Ｂｏｎａｌｓ、スペイン）で１〜３ｋＮ／ｃｍ２の圧力で圧縮し、各６ｇの重量の錠剤を得た。
【０１０１】
得られた錠剤を７５０ｍＬの水に添加し、ガラス製品の洗浄に好適な洗剤組成物を得た。錠剤を室温で水に１５〜３０秒間、溶解させた。
【０１０２】
実施例２：水の硬度を低下させるための発泡性錠剤
実施例１と同様の方法に従って、１．２ｇのクエン酸、１．２ｇのシュウ酸、１．６ｇの無水重炭酸ナトリウム、０．５５ｇの炭酸ナトリウム、０．６ｇのラウリル硫酸ナトリウム、０．８ｇの尿素、０．４ｇのカルボキシメチルセルロース、０．４５ｇのデンプン、及び０．２ｇの香料を含む錠剤を製造した。
【０１０３】
得られた錠剤の１つを７５０ｍＬの水に添加し、水の硬度を低下させるのに好適な洗剤組成物を得た。錠剤を室温で水に１５〜３０秒間、溶解させた。
【０１０４】
実施例３：グリースを除去するための発泡性錠剤
実施例１と同様の方法に従って、１．２ｇのクエン酸、０．６ｇの無水重炭酸ナトリウム、１．５ｇの炭酸ナトリウム、０．３５ｇのラウリル硫酸ナトリウム、０．８ｇの尿素、０．４ｇのカルボキシメチルセルロース、０．５ｇのデンプン、０．１５ｇのＥＤＴＡ  Ｎａ２、１．３ｇのメタケイ酸ナトリウム、０．５ｇの水酸化ナトリウム、及び０．２ｇの香料を含む錠剤を製造した。
【０１０５】
得られた錠剤の１つを７５０ｍＬの水に添加し、硬質表面からグリースを除去するのに好適な洗剤組成物を得た。錠剤を室温で水に１５〜３０秒間、溶解させた。
【０１０６】
実施例４：硬質表面の洗浄のための発泡性錠剤
実施例１と同様の方法に従って、２．１ｇのクエン酸、１．６ｇの無水重炭酸ナトリウム、０．５５ｇの炭酸ナトリウム、０．５５ｇのラウリル硫酸ナトリウム、０．８ｇの尿素、０．３５ｇのカルボキシメチルセルロース、０．６ｇのデンプン、０．６５ｇのココジエタノールアミド、及び０．２ｇの香料を含む錠剤を製造した。
【０１０７】
得られた錠剤の１つを５Ｌの水に添加し、硬質表面の洗浄に好適な洗剤組成物を得た。錠剤を室温で水に１５〜３０秒間、溶解させた。
【０１０８】
実施例５：発泡性錠剤の適用試験
実施例１と同様の方法に従い、２３要因計画に従い、表１に示す因子及びレベルで６ｇ／錠剤の８種類の錠剤を製造した。
【表１】
2018507954.tif 000002
【０１０９】
錠剤中のこれら３種の成分の組成百分率を表２に示す。
【表２】
2018507954.tif 000003
【０１１０】
アニオン性界面活性剤の含有量、即ち、ラウリル硫酸ナトリウムの含有量は、％であり、クエン酸、重炭酸ナトリウム及び炭酸ナトリウムの含有量は、成分の合計が１００％となるようにその都度調整した。よって、組成物の全重量に対して、クエン酸の含有量は、３７〜４６重量％、重炭酸ナトリウムの含有量は、２５〜３３重量％、炭酸ナトリウムの含有量は、８〜１６重量％であった。
【０１１１】
得られた錠剤は、３つのパラメータ：Ｒ１、Ｒ２、及びＲ３（それぞれ、錠剤の構造強度、水中での錠剤の崩壊、並びに温度及び湿度に対する錠剤の安定性に対応）の３回反復測定について評価した。
【０１１２】
錠剤の構造強度は、錠剤の異なる部分に剪断力を施した後、定性的に評価した。錠剤は、様々なストレスに耐えた場合に、良好な構造強度を有すると見なした。
【０１１３】
錠剤の崩壊は、室温（２０〜２２℃）で５００ｍＬの水を入れた容器内で、撹拌せずに崩壊を観察することにより評価した。崩壊は、最大時間の３０秒で完了した場合、高い崩壊評価を行った。
【０１１４】
環境湿度に対する錠剤の安定性は、錠剤そのものを、即ち、湿度に対するいかなる保護等もせずに、２５〜３０℃の温度及び５０〜８０％の相対湿度下に曝し、２ヵ月後に評価した。発泡系の成分間にいかなる反応も見られることなく錠剤が同じ状態のままであった場合、高い安定性評価を行った。
【０１１５】
表３は、８回実施した一連の試験を示し、試験した３つの因子及び得られた結果を示す。
【表３】
2018507954.tif 000004
【０１１６】
尿素と、崩壊剤系、この場合は、デンプンとカルボキシメチルセルロースナトリウムとの組み合わせにより形成された崩壊剤系との組み合わせによってのみ、構造安定性、水中での急速な崩壊、及び湿度に対する安定性を満たす錠剤が得られることが観察できる。
【０１１７】
実施例６：ガラス製品を洗浄するための錠剤の試験
実施例１で製造した錠剤を硬度２５°Ｆの水７５０ｍＬに溶解させた。
【０１１８】
同試験において、市販のガラス製品用液体洗浄剤を使用した。
【０１１９】
この試験では、ガラス製品上に沈着した油汚れの洗浄に対する両者の性能を評価した。
【０１２０】
前記の汚れを作るため、脂肪酸、ラード、トリグリセリド、ラノリンコレステロール、炭化水素の混合物を混合し、ガラス製品上に汚れを沈着させた。室温での乾燥工程後、ガラス製品を、試験する製品が塗布される布を用いたシミュレーション洗浄を行うことができる自動装置に設置した。
【０１２１】
洗浄性能は、１〜５点のスケールを用いて、除去された汚れの量を視覚的に評価することにより特徴付けた。前記スケールの１点は、汚れが除去されなかったことに相当し、２点は、少量の汚れが除去されたことに相当し、３点は、汚れの半分が除去されたことに相当し、４点は、汚れの大半が除去されたことに相当し、５点は、全ての汚れが除去されたことに相当する。
【０１２２】
試験は３回実施し、両者ともに、汚れの大半が除去されたことに相当する４点のスコアを得た。
【０１２３】
従って、本発明の発泡性錠剤は、市販の製品に匹敵するガラス製品の洗浄性能を有する。
【０１２４】
実施例７：硬質表面を洗浄するための錠剤の試験
実施例４で製造した錠剤を硬度２５°Ｆの水５Ｌに溶解させた。
【０１２５】
同試験において、市販の床用液体洗浄剤を水５Ｌに対して５０ｍＬの割合で使用した。
【０１２６】
この試験では、ステンレス鋼板上に沈着した油汚れの洗浄に対する両者の性能を評価した。
【０１２７】
前記の汚れを作るため、バター、ラード、マーガリン、ケチャップ、及び卵を混合し、ステンレス鋼板上に汚れを沈着させた。１０５℃の温度での乾燥工程後、板を、５０℃の温度で製品を入れたバスに沈めた。容器を軌道撹拌器で２分間撹拌することにより、洗浄作用をシミュレートした。その後、水でリンスし、オーブンで再び乾燥させた。
【０１２８】
洗浄性能は、洗浄前後の板を計量し、除去された汚れの量を測定することにより特徴付けた。
【０１２９】
試験は３回実施し、本発明の発泡性錠剤については、標準偏差１％で１４％の除去が得られ、市販の製品については、標準偏差０％で１０％の除去が得られた。
【０１３０】
従って、本発明の発泡性錠剤は、市販の製品よりもわずかに優れた硬質表面の洗浄性能を有する。
【０１３１】
また、本発明の発泡性錠剤の発泡力を、試料溶液を特定の高さから３０秒、３分、及び５分の時点で滴下させた時に得られる泡の体積の測定を基に、ＵＮＥ基準５５−５０２−８９に準じて測定した。
【０１３２】
表４は、本発明の錠剤及び市販の床洗浄剤について、異なる時間での泡の体積をｍＬで示す。
【表４】
2018507954.tif 000005
【０１３３】
本発明の錠剤は、大量の泡を生成し、経時的に実質的に一定のままであることが分かる。この発泡力は、試験した市販品よりもわずかに優れる。
【国際調査報告】
2018507954.tif 000006
2018507954.tif 000007
2018507954.tif 000008
2018507954.tif 000009
2018507954.tif 000010
2018507954.tif 000011
2018507954.tif 000012
2018507954.tif 000013